(57)【特許請求の範囲】
【請求項１】
取り外し可能に接続される第１パルセータ（１）と第２パルセータ（２）を含み、前記第１パルセータ（１）の上面には、上方へ突出して衣類を洗浄する少なくとも１つの突出リブ（１８）が設けられており、第２パルセータ（２）の上面は平滑面となっており、
前記第２パルセータ（２）の中心には上方へ突出する装着突起（１１）が設けられており、
前記装着突起（１１）には、前記装着突起（１１）の径方向に沿って外側に突出するよう延伸する少なくとも１つの係合スタッド（５）が装着されており、前記係合スタッド（５）は、バネ（１６）を介して軸方向へ移動可能に前記第２パルセータ（２）に装着されており、前記第１パルセータ（１）には前記係合スタッド（５）が係接及び挿入される係合孔（６）が設けられていることを特徴とするパルセータ構造。
【請求項２】
前記第１パルセータ（１）と第２パルセータ（２）は、上下に貫設される複数の通水孔（１０）をそれぞれ有することを特徴とする請求項１に記載のパルセータ構造。
【請求項３】
前記第２パルセータ（２）の通水孔（１０）は、複数の渦巻線上に均一に配設されており、各渦巻線は、第２パルセータ（２）の中心に対し対称に配設されることを特徴とする請求項２に記載のパルセータ構造。
【請求項４】
前記第１パルセータ（１）の中心には、上方へ突出する第１洗浄突出リブ（８）が設けられており、第１パルセータ（１）の上面には、径方向に延伸するとともに中心に対し対称に配置される複数の第２洗浄突出リブ（９）が設けられており、
隣接する第２洗浄突出リブ（９）の間の第１パルセータ（１）には複数の通水孔（１０）が設けられており、通水孔（１０）は第１パルセータ（１）の上下両側を貫通していることを特徴とする請求項２に記載のパルセータ構造。
【請求項５】
前記第１パルセータ（１）の各通水孔（１０）はパルセータの中心に対し対称に配置されていることを特徴とする請求項４に記載のパルセータ構造。
【請求項６】
前記第１パルセータ（１）の下面は第２パルセータ（２）の上面に密着するよう設けられるか、或いは、第１パルセータ（１）の上面は第２パルセータ（２）の下面に密着するよう設けられることを特徴とする請求項１〜５のいずれかに記載のパルセータ構造。
【請求項７】
前記第１パルセータ（１）の中心には第１洗浄突出リブ（８）が設けられており、第１洗浄突出リブ（８）の内部は、装着突起（１１）が対応して挿入されるよう中空となっており、
前記装着突起（１１）の先端部、又は第１洗浄突出リブ（８）の先端部には、パルセータの中心上面が平滑となるよう、上面が平滑な飾蓋（４）が設けられていることを特徴とする請求項６に記載のパルセータ構造。
【請求項８】
前記第１パルセータ（１）の上面にクイックリリース溝（７）が設けられており、ユーザがクイックリリース溝（７）から係合スタッド（５）に外力を付与することで、係合スタッド（５）が内側に収縮するよう移動して係合孔（６）から押し出されるように、前記クイックリリース溝（７）は係合孔（６）の底部と連通していることを特徴とする請求項７に記載のパルセータ構造。
【請求項９】
前記第２パルセータ（２）の上面には少なくとも１つの位置決め突起（１４）が設けられており、前記第１パルセータ（１）の下面には、位置決め突起（１４）に対し一対一で対応するよう係合及び挿接される位置決め溝（１３）が設けられていることを特徴とする請求項８に記載のパルセータ構造。
【請求項１０】
前記位置決め突起（１４）は第２パルセータ（２）における外周寄りに設けられていることを特徴とする請求項９に記載のパルセータ構造。
【請求項１１】
内槽（１００）に、請求項１〜１０のいずれかに記載のパルセータ構造（３００）が装着されていることを特徴とする洗濯機。
【発明の詳細な説明】
【技術分野】
【０００１】
本発明は、洗浄機器分野における洗濯機に関する。特に、洗濯機のパルセータ構造に関し、更には、前記パルセータ構造が装着された多機能洗濯機に関する。
【背景技術】
【０００２】
従来のパルセータ式洗濯機は、図１に示すように、外輪郭を構成するハウジングを備える。ハウジングの内部には外槽２００が装着されており、外槽２００内には内槽１００が装着されている。また、内槽１００の底部にはパルセータ構造３００が設けられている。ハウジングの上部には、反転させることで開放可能な上蓋が設けられている。洗浄を実施するためには、開放された上蓋部分から内槽１００へ衣類を投入する。ハウジングの内部には、更にモータ４００が設けられている。一般的に、前記モータ４００は外槽２００の下方に装着されている。モータ４００のモータ軸３は上方へ延伸しており、外槽２００の底部と内槽１００の底部を順に貫通している。モータ軸３を内槽１００のパルセータ構造３００に噛合及び固定することで、パルセータ構造３００がモータ４００によって回転し、内槽１００内の水及び衣類を攪動する。また、パルセータ構造３００による水流の攪拌力を強化するために、通常、パルセータ構造３００の上面には上方へ突出する複数の突出リブ１８が設けられている。これにより、パルセータ構造３００の回転過程における水流の攪拌が強化される。更に、パルセータ構造３００の強度を強化するために、一般的に、パルセータ構造３００の下側には下方に突出するよう延伸する複数の補強リブ１５が設けられている。これにより、パルセータ構造の全体的な支持力及びねじり強度が向上する。
【０００３】
上記構造のパルセータ洗濯機による衣類洗浄の動作原理は次の通りである。内槽底部に装着されたパルセータ構造を正逆回転させることで、内槽内の衣類を上下左右に休むことなく反転させる。これにより、水中において、衣類同士及び衣類と槽壁の間に絶えず揉みや摩擦が発生する。また、洗剤の働きによって衣類に付着した汚れの除去や衣類洗浄の目的が達せられるよう、水中に洗剤を投入する。このように、パルセータ洗濯機では、パルセータにより水流を衣類に打ち付けることで衣類に摩擦を生じさせ、汚れを除去することで衣類洗浄の目的を達成する。
【０００４】
しかし、上記構造のパルセータ洗濯機は、衣類の洗浄過程において以下のような問題が発生する。
【０００５】
１．パルセータと内槽内の衣類が直接接触する。特に、パルセータ構造の上面には上方に向かって異なる程度で突出する突出リブが存在することから、衣類が回転中の突出リブと接触して、突出リブにより傷付けられることがある。
【０００６】
２．内槽内にはパルセータの回転により攪拌水流が発生するが、攪拌水流は往復するよう振動するため、衣類が互いに絡まったり団子状となったりする結果、衣類に変形が生じる場合がある。
【０００７】
特に、パルセータ洗濯機では、ウールやカシミヤ、シルク等の材質の衣類を洗浄する際に衣類の絡まりがより顕著となり、衣類の摩耗もいっそう深刻となる。よって、ユーザは、上記のウール、カシミヤ、シルクといった材質の衣類をパルセータ洗濯機で洗浄することができない。
【０００８】
これらに鑑みて、本発明を提案する。
【発明の概要】
【発明が解決しようとする課題】
【０００９】
本発明は、通常洗浄用及びソフト洗浄用のパルセータの一体化を実現するために、パルセータ構造を提供することを目的とする。また、前記パルセータ構造を利用して、衣類別に対応する洗浄を実施することを他の目的とする。
【課題を解決するための手段】
【００１０】
上記の発明の目的を実現するために、以下の技術方案を用いる。
【００１１】
パルセータ構造であって、取り外し可能に接続される第１パルセータと第２パルセータを含み、前記第１パルセータの上面には、上方へ突出して衣類を洗浄する少なくとも１つの突出リブが設けられており、第２パルセータの上面は平滑面となっている。
【００１２】
更に、前記第１パルセータと第２パルセータは、上下に貫設される複数の通水孔をそれぞれ有する。
【００１３】
更に、前記第２パルセータの通水孔は、複数の渦巻線上に均一に配設されており、各渦巻線は、第２パルセータの中心に対し対称に配設され、好ましくは、通水孔が第２パルセータの上下両側を貫通している。
【００１４】
更に、前記第１パルセータの中心には、上方へ突出する第１洗浄突出リブが設けられており、第１パルセータの上面には、径方向に延伸するとともに、中心に対し対称に配置される複数の第２洗浄突出リブが設けられており、隣接する第２洗浄突出リブの間の第１パルセータには複数の通水孔が設けられており、通水孔は第１パルセータの上下両側を貫通しており、好ましくは、第１パルセータの各通水孔はパルセータの中心に対し対称に配置されている。
【００１５】
更に、前記第１パルセータの下面は第２パルセータの上面に密着するよう設けられるか、或いは、第１パルセータの上面は第２パルセータの下面に密着するよう設けられる。
【００１６】
更に、前記第２パルセータの中心には上方へ突出する装着突起が設けられており、第１パルセータの中心には第１洗浄突出リブが設けられており、第１洗浄突出リブの内部は、装着突起が対応して挿入されるよう中空となっており、前記装着突起の先端部、又は第１洗浄突出リブの先端部には、パルセータの中心上面が平滑となるよう、上面が平滑な飾蓋が設けられており、好ましくは、装着突起から外周に至るまで、第２パルセータの上面は平滑な平面となっている。
【００１７】
更に、前記第１パルセータと第２パルセータは、クイックリリース構造を介して互いに固定接続される。
【００１８】
更に、前記装着突起には、装着突起の径方向に沿って外側に突出するよう延伸する少なくとも１つの係合スタッドが装着されており、前記係合スタッドは、バネを介して軸方向へ移動可能に第２パルセータに装着されており、前記第１パルセータには係合スタッドが係接及び挿入される係合孔が設けられており、好ましくは、前記第１パルセータの上面にクイックリリース溝が設けられており、ユーザがクイックリリース溝から係合スタッドに外力を付与することで、係合スタッドが内側に収縮するよう移動して係合孔から押し出されるように、前記クイックリリース溝は係合孔の底部と連通している。
【００１９】
より好ましくは、前記係合スタッドの中央には、径方向に突出する位置規制リブが設けられている。前記位置規制リブが第２パルセータに位置規制されるよう接触することで、第１パルセータを取り外したあとに、係合スタッドがバネにより押し出されて抜け落ちないよう防止される。
【００２０】
更に、前記第２パルセータ（２）の上面には少なくとも１つの位置決め突起（１４）が設けられており、前記第１パルセータ（１）の下面には、位置決め突起（１４）に対し一対一で対応するよう係合及び挿接される位置決め溝（１３）が設けられており、好ましくは、前記位置決め突起（１４）は第２パルセータ（２）における外周寄りに設けられている。
【００２１】
本発明は、更に、内槽に上記いずれかのパルセータ構造が装着された多機能洗濯機に関する。
【００２２】
パルセータ構造は、第１パルセータが第２パルセータの上側に設けられている場合、第２パルセータがモータのモータ軸に固定されるよう噛合接続されるとともに、第１パルセータがクイックリリース構造を介して第２パルセータの上方に装着される。そのため、ユーザは必要に応じて第１パルセータを第２パルセータに装着するか、第１パルセータを取り外して第２パルセータのみを内槽内に残すことができる。これにより、洗濯機のモータは、第１パルセータのみを回転させるか、第１パルセータと第２パルセータを共に回転させることで、内槽内の衣類を通常洗浄又はソフト洗浄することができる。
【００２３】
本発明では、洗濯機の通常洗浄の場合、第１パルセータを第２パルセータに組み付け、モータにより第１パルセータと第２パルセータを共に回転させる。これにより、第１パルセータの上面の突出リブが内槽の水及び衣類を相対的に激しく攪動することで、一般衣類に対する洗浄効果が向上する。また、洗濯機がウールやシルク等の衣類をソフト洗浄する場合には、第１パルセータを取り外し、モータによって第２パルセータのみを回転させる。そして、第２パルセータの平滑な上面によって内槽内の水及び衣類を相対的に緩やかに攪動することで、衣類の絡まりを回避し、洗濯機の洗浄過程における衣類の摩耗を低減させる。
【００２４】
或いは、パルセータ構造は、第１パルセータが第２パルセータの下側に設けられている場合、第１パルセータがモータのモータ軸に固定されるよう噛合接続されるとともに、第２パルセータがクイックリリース構造を介して第１パルセータの上方に装着される。そのため、ユーザは必要に応じて第２パルセータを第１パルセータに装着するか、第２パルセータを取り外して第１パルセータのみを内槽内に残すことができる。これにより、洗濯機のモータは、第２パルセータのみを回転させるか、第１パルセータを共に回転させることで、内槽内の衣類をソフト洗浄又は通常洗浄することができる。上記の方式でも同様に、洗濯機に通常洗浄方式とソフト洗浄方式を持たせることが可能となる。且つ、同様に、パルセータ洗濯機によって、ウールやシルク等の材質の衣類についてソフト洗浄を実施するという目的を実現可能となる。
【発明の効果】
【００２５】
従来技術と比較して、本発明は以下の有益な効果を有する。
【００２６】
１．上記のように設けられたパルセータ構造によれば、ユーザは、必要に応じて平滑度の異なるパルセータ表面を用い、衣類を材質別にそれぞれ洗浄することができる。その結果、当該パルセータ構造を利用して、ウールやシルクといった材質の衣類につきソフト洗浄を行うとの目的が達せられる。
【００２７】
２．第１パルセータと第２パルセータをリリース構造により取り外し可能に固定装着することで、ユーザは簡単且つ迅速に第１パルセータを着脱可能となる。よって、ユーザは、実際に洗浄する衣類の材質状況に応じ、第１パルセータ及び／又は第２パルセータを用いて衣類を洗浄することができる。
【００２８】
３．上記のパルセータ構造を装着することで、洗濯機はユーザのニーズに応じて第１パルセータを取り外し、平滑な第２パルセータによってウールやシルクといった衣類についてソフト洗浄を行うことが可能となる。これにより、洗濯機はウールやシルクといった衣類に対する洗浄機能を備えるため、洗濯機の機能性及び適用範囲が広がる。
【００２９】
４．パルセータ構造の補強リブは全て第２パルセータの下側に設けられており、第１パルセータには補強リブが設けられていない。そのため、本発明のパルセータ構造は従来技術と比較して、全高については第２パルセータの板材の厚さ分が増えたにすぎない。よって、改良後のパルセータ構造は衣類をソフト洗浄するための機能を備えるだけでなく、パルセータ構造の高さが増加せず、且つ、洗濯機の洗浄容量に影響を及ぼすことがない。
【００３０】
また、本発明は構造がシンプルであり、効果が著しく、利用の普及に適している。
【図面の簡単な説明】
【００３１】
【図１】図１は、従来技術における洗濯機の構造を示す図である。
【図２】図２は、本発明の実施例における第１パルセータ及び第２パルセータが装着された洗濯機の構造を示す図である。
【図３】図３は、本発明の実施例における第１パルセータのみが装着された洗濯機の構造を示す図である。
【図４】図４は、本発明の実施例におけるパルセータ構造の構成を示す図である。
【図５】図５は、本発明の実施例におけるパルセータ構造の分解図である。
【図６】図６は、本発明の実施例における第２パルセータの構造を示す図である。
【図７】図７は、本発明の実施例における第２パルセータを別の視点から見た構造を示す図である。
【図８】図８は、本発明の実施例におけるパルセータ構造の断面図である。
【発明を実施するための形態】
【００３２】
以下に、実施例を組み合わせて本発明につき更に詳細に説明する。
【実施例１】
【００３３】
図２〜図８に示すように、本発明の実施例では、外槽２００及び内槽１００を含む洗濯機につき説明する。内槽１００にはパルセータ構造３００が装着されており、外槽２００の底部にはモータ４００が装着されている。モータ４００のモータ軸３は、外槽底と内槽底を順に貫通している。モータ軸３の挿入端は、パルセータ構造３００の底部中央に噛合及び接続されている。これにより、パルセータ構造３００を回転駆動して内槽１００内の衣類と水を攪動し、衣類と水の間に摩擦を生じさせることで衣類洗浄の目的を達成する。
【００３４】
本発明の実施例において、前記パルセータ構造３００は、上下に取り外し可能に接続される第１パルセータ１と第２パルセータ２を含む。前記第１パルセータ１は第２パルセータ２の上方に装着される。前記第１パルセータ１の上面には、上方へ突出して衣類を洗浄する少なくとも１つの突出リブ１８が設けられている。また、第２パルセータ２の上面は平滑面となっている。
【００３５】
洗濯機の通常洗浄時には、第１パルセータを第２パルセータに組み付け、モータにより第１パルセータと第２パルセータを共に回転させる。これにより、第１パルセータの上面の突出リブが内槽の水及び衣類を相対的に激しく攪動することで、一般衣類に対する洗浄効果が向上する。また、洗濯機が、ウールやシルク等の衣類をソフト洗浄する際には、第１パルセータを取り外すことで、モータは第２パルセータのみを回転させる。これにより、第２パルセータの平滑な上面が内槽内の水と衣類を相対的に緩やかに攪動することで、衣類の絡まりが回避される結果、洗濯機の洗浄過程における衣類の摩耗が低減する。
【００３６】
上記のように設けられたパルセータ構造によれば、ユーザは必要に応じて平滑度の異なるパルセータ表面を用い、衣類を材質別にそれぞれ洗浄することができる。その結果、当該パルセータ構造を利用して、ウールやシルクといった材質の衣類につきソフト洗浄を行うとの目的が達せられる。
【実施例２】
【００３７】
図５に示すように、本実施例において、前記パルセータ構造３００は、上下に取り外し可能に接続される第１パルセータ１と第２パルセータ２を含む。
【００３８】
図４に示すように、本実施例では、第１パルセータ１と第２パルセータ２との隙間を可能な限り縮小すべく、前記第１パルセータ１の下面と第２パルセータ２の上面とを密着するよう設けている。これにより、パルセータ構造３００の全高が低下し、内槽１００においてパルセータが占める体積が縮小する。
【００３９】
図６に示すように、本実施例において、前記第１パルセータ１と第２パルセータ２は、上下に貫設される複数の通水孔１０をそれぞれ有している。前記第２パルセータ２の通水孔１０は、複数の渦巻線上に均一に配設されている。各渦巻線は第２パルセータの中心に対し対称に配設されている。前記渦巻線は、第２パルセータの中心から外周に向かって、いずれかの第２パルセータの径方向線から徐々に離間する曲線である。且つ、前記曲線の曲率は、中心から外周に向かって徐々に拡大している。好ましくは、通水孔１０は第２パルセータ２の上下両側を貫通している。これにより、第２パルセータ２下部の洗浄水が、回転するパルセータの遠心力の働きによって第２パルセータ２の上部へと吸い上げられ、内槽１００内の衣類と水流に吹き付けられることで攪拌がなされる。
【００４０】
第２パルセータ上の通水孔を渦巻線に沿って配設することで、第２パルセータの回転過程において、通水孔から流出した水流が放散状に外側へと噴出する。これにより、内槽内の水流に対するパルセータの攪拌強度が向上するため、洗濯機の洗浄効果を向上するとの目的が達せられる。
【００４１】
図７に示すように、本実施例において、前記第２パルセータ２の下面には、下方へと突出する複数の補強リブ１５が設けられている。各補強リブ１５は、パルセータの中心に対し対称に配置されているため、第２パルセータの全体強度が向上する。また、第１パルセータは第２パルセータの上方に密着するよう装着されるため、装着後のパルセータ構造は全体が下方の第２パルセータにより支持される。よって、第２パルセータに設けられる支持リブによって第１パルセータが効果的に支持され、第１パルセータの支持力及びねじり強度が強化される。
【００４２】
図４に示すように、本実施例において、前記第１パルセータ１の中心には上方へ突出する第１洗浄突出リブ８が設けられている。また、第１パルセータ１の上面には、径方向に延伸するとともに中心に対し対称に配置される複数の第２洗浄突出リブ９が設けられている。隣接する第２洗浄突出リブ９の間の第１パルセータには複数の通水孔１０が設けられており、通水孔１０が第１パルセータ１の上下両側を貫通している。好ましくは、第１パルセータ１上の各通水孔１０は、中心に対し対称に配置されている。
【００４３】
第１パルセータの上面には、中心から外周に向かって延伸するとともに、上方へ突出する洗浄突出リブが設けられている。そのため、第１パルセータの回転によって、洗浄突出リブが内槽内の水を強く攪拌洗浄するとの効果が得られる。且つ、第１パルセータには上下に貫設される複数の通水孔を設けている。これにより、パルセータ下方の洗浄水は、パルセータ構造の回転過程で遠心力の働きによって吸い上げられ、順に第２パルセータの通水孔と第１パルセータの通水孔を経由してパルセータ上方の内槽内に流入する。そして、内槽内の衣類に吹き付けられることで攪動がなされる。
【実施例３】
【００４４】
図５及び図８に示すように、本実施例において、前記パルセータ構造３００は、上下に取り外し可能に接続される第１パルセータ１と第２パルセータ２を含む。前記第１パルセータ１と第２パルセータ２は、クイックリリース構造により固定接続される。第１パルセータと第２パルセータをリリース構造により取り外し可能に固定装着することで、ユーザは簡単且つ迅速に第１パルセータを着脱可能となる。よって、ユーザは、実際に洗浄する衣類の材質状況に応じ、第１パルセータ及び／又は第２パルセータを用いて衣類を洗浄することができる。
【００４５】
図４に示すように、本実施例において、前記第２パルセータ２の中心には上方へ突出する装着突起１１が設けられており、第１パルセータ１の中心には第１洗浄突出リブ８が設けられている。第１洗浄突出リブ８の内部は、装着突起１１が挿入される装着挿入溝を構成するよう中空となっている。前記装着突起１１の先端部、又は第１洗浄突出リブ８の先端部には、パルセータの中心上面が平滑となるよう、上面が平滑な飾蓋４が設けられている。好ましくは、前記第１洗浄突出リブ８の先端部は貫通孔となっており、装着突起１１の先端部は取り外し可能な飾蓋４となっている。これにより、飾蓋は、第２パルセータとモータ軸を噛合する固定ボルト１７を遮蔽して、内槽内の衣類にボルトが引っ掛かって損傷するとの事態を防止可能となる。また、本実施例では、装着突起１１から外周に至るまで、第２パルセータ２の上面は平滑な平面となっている。
【００４６】
本実施例において、前記クイックリリース構造は、従来技術における任意のクイックリリース構造とすればよい。当該クイックリリース構造は、第１パルセータと第２パルセータの固定装着及び迅速な取り外しとの目的を実現できるものであればよい。好ましくは、図８に示すように、本実施例で使用するクイックリリース構造は、具体的に以下の構造とする。
【００４７】
本実施例において、第２パルセータ２には、洗濯機のモータ軸３に固定装着される装着スリーブ１２が更に設けられている。前記装着スリーブ１２は装着突起１１の内部の中空領域に設けられる。好ましくは、前記装着スリーブ１２、装着突起１１及び第２パルセータ２は一体的な部材である。前記装着スリーブ１２の外壁と装着突起１１の内壁の間には、クイックリリース構造が装着されるよう一定の隙間が設けられている。
【００４８】
本実施例において、前記装着突起１１には、装着突起１１の径方向に沿って外側に突出するよう延伸する少なくとも１つの係合スタッド５が設けられている。前記係合スタッド５は、バネ１６を介して軸方向へ移動可能に第２パルセータ２に装着されている。前記第１パルセータ１には、係合スタッド５が係接及び挿入される係合孔６が設けられている。好ましくは、装着突起１１には対向して設けられる２つの係合スタッド５が設けられている。これにより、第１パルセータ１と第２パルセータ２との装着点が互いに対称な２つの係合スタッド５となるため、第１パルセータ１と第２パルセータ２の組み付けが堅固となる。また、ユーザは両手で係合スタッド５をそれぞれ押圧操作することで、迅速且つ容易に第１パルセータと第２パルセータを着脱可能となる。
【００４９】
本実施例において、前記第１パルセータ１の上面にはクイックリリース溝７が設けられており、前記クイックリリース溝７が係合孔６と連通している。そのため、ユーザは、手又は工具をクイックリリース溝７から係合孔６に挿入して係合スタッド５に触れることで、係合スタッド５に外力を付与し、係合スタッド５を内側に収縮するよう移動させて係合孔６から押し出すことができる。好ましくは、前記クイックリリース溝７は装着突起１１の下辺縁部分に設けられており、且つ、前記クイックリリース溝７の側壁と係合孔６の底壁が同一斜面に位置している。係合スタッド５が係合孔６の底面の最下端に接触するよう、前記斜面は垂直面に対し、下から上へパルセータの中心から離間する方向へと徐々に傾斜している。且つ、ユーザは手又は工具をクイックリリース溝７から係合孔６に挿入し、係合スタッド５の底部に触れることで、斜面と同一方向の作用力Ｆ２を付与して係合スタッド５を係合孔６から押し出すことができる。好ましくは、係合孔６の底面のうち少なくとも最下端寄りの部分は、係合スタッド５と係合孔６との接触面積が拡大し、組み付けの確実性が向上するよう、垂直面となっている。
【００５０】
本実施例において、前記係合スタッド５は、装着突起１１と装着スリーブ１２の間の隙間に水平に設けられている。係合スタッド５の第１端は、バネ１６を介して装着スリーブ１２の外壁に位置規制されるよう接触している。好ましくは、前記バネ１６は装着スリーブ１２に固定される。前記係合スタッド５の中央には、径方向に突出する位置規制リブ１９が設けられている。前記バネ１６は、両端が位置規制リブ１９及び装着スリーブ１２の外壁に位置規制されるよう接触し、伸張状態でこれらの間に装着されている。また、係合スタッド５の第２端は装着突起１１を貫通しており、且つ、位置規制リブ１９が装着突起１１の内壁に位置規制されるよう接触する。係合スタッド５の第２端は、装着突起１１の外側に位置しており、且つ、伸縮可能に第１パルセータ１の係合孔６に挿入されている。そのため、ユーザは、前記係合スタッド５により構成されるクイックリリース構造を利用して、第１パルセータと第２パルセータを迅速に着脱可能となる。
【００５１】
本実施例において、前記第２パルセータ２の上面には少なくとも１つの位置決め突起１４が設けられている。前記第１パルセータ１の下面には、位置決め突起１４に対し一対一で対応するよう係合及び挿接される位置決め溝１３が設けられている。好ましくは、前記位置決め突起１４は第２パルセータにおける外周寄りに設けられている。より好ましくは、第２パルセータにおける外周寄りの部分には、中心に対し対称に設けられ、且つ円弧曲線に沿って延伸する４つの位置決め突起１４が設けられている。
【００５２】
ユーザは、第１パルセータ１を装着する場合、第１パルセータ１の位置決め溝１３と第２パルセータ２の位置決め突起１４を揃えたあと、第１パルセータ１に対し下向きの作用力Ｆを付与するだけでよい。これにより、第１洗浄突出リブ８の内壁が、係合スタッド５を内側に向かって弾性的に圧縮するよう移動させる。そして、第１パルセータ１が第２パルセータ２と密着するよう接触するまで下方に移動すると、係合スタッド５はバネ１６の働きによって係合孔６と係接するまで押し出される。これにより、第１パルセータ１と第２パルセータ２の固定装着が実現される。
【００５３】
ユーザは、第１パルセータ１を取り外す場合、クイックリリース溝７から係合孔６へと進入し、係合スタッド５に外力Ｆ２を付与することで、外力の働きにより係合スタッド５を係合孔６から退出させるだけでよい。これにより、第１パルセータ１を第２パルセータ２から離脱させ、続いて第１パルセータ１を上方へと引き上げることで、第１パルセータ１と第２パルセータ２の取り外しが実現される。
【実施例４】
【００５４】
図２及び図３に示すように、本実施例では、洗濯機の内槽１００に上記実施例１から３のいずれかに記載のパルセータ構造３００が装着された多機能洗濯機について説明する。パルセータ構造３００の第２パルセータ２は、洗濯機のモータ４００におけるモータ軸３に対し固定されるよう噛合接続される。
【００５５】
本実施例では、第２パルセータ２とモータ軸３が互いに嵌装されるよう、前記第２パルセータ２の装着スリーブ１２がモータ軸３の外部に嵌装されている。また、装着スリーブ１２の上端は密閉して設けられる。固定ボルト１７が上から下に向かって装着スリーブ１２を貫通し、モータ軸３に噛合することで、第２パルセータ２とモータ軸３とが互いに噛合及び固定される。これにより、洗濯機のモータ４００によって第２パルセータ２を回転可能になるとともに、第２パルセータ２が、装着される第１パルセータ１を共に回転させられるようになる。
【００５６】
本実施例において、洗濯機内には上記のように構成されるパルセータ構造３００が装着されている。そのため、ユーザは、必要に応じて第１パルセータ１を第２パルセータ２に装着したり、第１パルセータを取り外して第２パルセータ２のみを内槽１００内に残したりすることが可能である。
【００５７】
図２に示すように、洗濯機が一般の衣類について通常洗浄を行う際には、第１パルセータを第２パルセータに組み付けて、モータにより第１パルセータと第２パルセータを共に回転させることで、第１パルセータの上面と内槽内の衣類を接触させる。そして、第１パルセータ上面の突出リブと、第１パルセータの通水孔から噴出する水流によって内槽の水及び衣類を相対的に激しく攪動することで、強い水流を発生させて内槽内の一般衣類を洗浄する。
【００５８】
図３に示すように、洗濯機がウール、シルク等の衣類についてソフト洗浄を行う際には、第１パルセータを取り外し、モータによって第２パルセータのみを回転させることで、第２パルセータの平滑な上面と内槽内の衣類とを接触させる。そして、第２パルセータの平滑な上面と、第２パルセータの通水孔から噴出する水流によって内槽内の水及び衣類を相対的に緩やかに攪動することで、衣類の絡まりを回避し、洗濯機の洗浄過程における衣類の摩耗を低減させる。
【００５９】
上記のパルセータ構造を装着することで、洗濯機は、ユーザのニーズに応じて第１パルセータを取り外し、平滑な第２パルセータによってウールやシルクといった衣類についてソフト洗浄を行うことが可能となる。これにより、洗濯機はウールやシルクといった衣類に対する洗浄機能を備えるため、洗濯機の機能性及び適用範囲が広がる。
【実施例５】
【００６０】
上記実施例との違いとして、本実施例では、前記第２パルセータが第１パルセータの上方に装着されている。第１パルセータの上側は、クイックリリース構造を介して第２パルセータに対し取り外し可能に接続されている。また、第１パルセータの下側は、洗濯機のモータのモータ軸に噛合するよう接続されている（図示しない）。
【００６１】
上記のように設けられたパルセータ構造でも同様に、ユーザは必要に応じて平滑度の異なるパルセータ表面を用い、衣類を材質別にそれぞれ洗浄することが可能である。そのため、当該パルセータ構造によって、衣類のソフト洗浄及び通常洗浄を行うとの目的が達せられる。
【００６２】
洗濯機の通常洗浄時には、第２パルセータを取り外し、モータにより第１パルセータのみを回転させる。これにより、第１パルセータの上面の突出リブが内槽の水及び衣類を相対的に激しく攪動することで、一般衣類に対する洗浄効果が向上する。また、洗濯機がウールやシルクといった衣類についてソフト洗浄を行う際には、第２パルセータを第１パルセータに組み付けて、モータにより第１パルセータと第２パルセータを共に回転させる。そして、第２パルセータの平滑な上面によって内槽内の水及び衣類を相対的に緩やかに攪動することで、衣類の絡まりを回避し、洗濯機の洗浄過程における衣類の摩耗を低減させる。
【００６３】
上記実施例の実施方案は、更なる組み合わせ又は置き換えが可能である。また、実施例は本発明の好ましい実施例について述べたものにすぎず、本発明の構想及び範囲を限定するものではない。本発明の設計思想を逸脱しないことを前提に、当業者が本発明の技術方案について実施する各種の変形及び改良は、いずれも本発明の保護の範囲に属する。
【符号の説明】
【００６４】
１  第１パルセータ
２  第２パルセータ
３  モータ軸
４  飾蓋
５  係合スタッド
６  係合孔
７  クイックリリース溝
８  第１洗浄突出リブ
９  第２洗浄突出リブ
１０  通水孔
１１  装着突起
１２  装着スリーブ
１３  位置決め溝
１４  位置決め突起
１５  補強リブ
１６  バネ
１７  固定ボルト
１８  突出リブ
１９  位置規制リブ
１００  内槽
２００  外槽
３００  パルセータ構造
４００  モータ
【図１】
0006860673.tif 000002
【図２】
0006860673.tif 000003
【図３】
0006860673.tif 000004
【図４】
0006860673.tif 000005
【図５】
0006860673.tif 000006
【図６】
0006860673.tif 000007
【図７】
0006860673.tif 000008
【図８】
0006860673.tif 000009